(57)【要約】【課題】プラスチック特にプラスチックボトルのスクラッチ印刷物において、生産効率に優れ、機密情報データやその周辺の隠蔽層が基材との接着性に優れ、輸送中等での耐磨耗性を有し、さらにプラスチックとの一体感があり、かつ貼り替え等による偽造等に対応可能なスクラッチ印刷物と製造方法の提供にある。【解決手段】プラスチック基材１０上に紫外線で硬化された機密情報データ１２とその周辺をも覆うようにして隠蔽する紫外線硬化型スクリーンインキでなる隠蔽層３０が設けられているスクラッチ印刷物１で、前記基材１０と機密情報データ１２との付着性は碁盤目法の評価点が６以上であり、機密情報データ１２と隠蔽層３０との付着性は評価点が０であるスクラッチ印刷物とするものである。【選択図】図１
2004135841.tif 000002
【特許請求の範囲】
【請求項１】
プラスチックを基材とし、該基材上に紫外線で硬化された紫外線硬化型スクリーンインキでなる機密情報データと該機密情報データおよびその周辺の基材を覆うようにして隠蔽する、紫外線で硬化された紫外線硬化型スクリーンインキでなる隠蔽層が設けられているスクラッチ印刷物であって、前記基材と機密情報データとの付着性がＪＩＳ　Ｋ　５４００の碁盤目法に準拠した評価点が６以上であり、前記機密情報データと隠蔽層との付着性がＪＩＳ　Ｋ　５４００の碁盤目法に準拠した評価点が０であることを特徴とするスクラッチ印刷物。
【請求項２】
上記基材がプラスチックボトルであることを特徴とする請求項１記載のスクラッチ印刷物。
【請求項３】
プラスチックを基材とし、該基材上に紫外線硬化型スクリーンインキでなる機密情報データを設け、該機密情報データを紫外線照射で硬化せしめ、硬化された機密情報データとその周辺の基材上に該機密情報データを覆うようにして隠蔽する、紫外線硬化型スクリーンインキでなる隠蔽層を設け、該隠蔽層を紫外線照射で硬化せしめることを特徴とするスクラッチ印刷物の製造方法。
【請求項４】
上記基材がプラスチックボトルであることを特徴とする請求項３記載のスクラッチ印刷物の製造方法。
【発明の詳細な説明】
【０００１】
【発明の属する技術分野】
本発明は、インスタント抽選付き商品の如く「当たり」「外れ」等機密情報データをスクラッチ隠蔽層で隠蔽してあるスクラッチ印刷物に関するものであり、特に飲料等を収納するプラスチックボトルを基材としたスクラッチ印刷物およびその製造方法に関するものである。
【０００２】
【従来の技術】
従来、例えば、インスタント抽選券やゲーム用のカードなどにおいて、「当たり」、「外れ」あるいはそれに該当する絵柄などの機密情報データを隠蔽するために、隠蔽性とスクラッチオフ性（引っ掻き落とし易さ性）を有するインキによりその機密情報データを隠蔽し、購入した顧客がその使用に際し、コイン等でスクラッチオフして機密情報データを視認するスクラッチ印刷物が知られ、種々の分野で利用されている。
【０００３】
上記のスクラッチ隠蔽層が施された印刷物として、例えば図３の積層断面の模式図に示すように、用紙などでなる基材（１０）の上に絵柄、文字、数字などの機密情報データ（１２）が印刷されていて、その機密情報データ（１２）を覆うように透明な剥離ニスなどによる易剥離層（１４）が形成され、その易剥離層（１４）の上にスクラッチ隠蔽層（２０）が施されているものであり、このスクラッチ印刷物を購入した顧客がコインや爪等でスクラッチ隠蔽層（２０）をスクラッチオフ（引っ掻き落とすこと）して、「当たり」、「外れ」など、あるいはそれに該当する絵柄などの機密情報データ（１２）を目視で認識できるようになっている。
【０００４】
しかし、上記スクラッチ印刷物は、紙を主体とした基材でなるものがほとんどで、プラスチック特にプラスチックボトルに対しては、このプラスチックボトルへ機密情報データを施すことは、インキをプラスチック用に選定すれば特に問題はないが、この機密情報データの上に施す透明な剥離ニスなどによる易剥離層は、３〜１０μｍの盛り量で塗布され、例えばポリウレタン／アクリル樹脂、ポリアミド樹脂、ニトロセルロース樹脂に添加剤としてシリコンやワックス（ポリエチレンワックス等）を５％以下添加したものをスクリーン印刷方式等で部分塗布により得られるものであり、基材がプラスチックボトルの場合では、密着性（接着性）に乏しく基材から剥離してしまうという問題があり、また上記スクラッチ隠蔽層としては、例えば凝集破壊（団塊）性のあるＳＢＲ、ＮＢＲ等ゴム系樹脂を主体としたインキを用いて３〜１０μｍの厚さにスクリーン印刷方式等で部分塗布して得られ、隠蔽性を保持させるために前記の樹脂にアルミニウム粉末等を添加した銀インキとするのが一般的であるが、基材がプラスチックボトルの場合では、スクラッチ隠蔽層に凝集破壊性があるため商品（ボトル）の輸送中等での摩擦等で擦れて機密情報データがスクラッチ以前に目視されるという問題があり、さらに上記剥離ニスなどによる易剥離層およびスクラッチ隠蔽層をプラスチック（ボトルも含め）上に印刷で施すとその乾燥に長時間を要し、生産性に乏しいという問題もあり、プラスチックボトルに上記スクラッチ印刷物を適用することは困難なものであった。
【０００５】
そのため、例えば飲料等を収納するプラスチックボトルへ「当たり」「外れ」あるいは点数等機密情報データを隠蔽してインスタント抽選付き商品とするには、裏面に粘着剤が施されているシールを貼付し、その裏面にこの機密情報データが印字されているもので、購入した顧客がこのシールを剥がしてその機密情報データを視認するという方式が採用されていた。
【０００６】
しかしながら、上記従来のシール貼付方式においては、機密情報データが隠蔽されているシールとプラスチックボトルとの一体感がなく、かつ貼り替えや改ざん等による偽造あるいは購入前に剥がし、外れ等の場合は別の商品を購入するという不正行為に対する問題点、これら不正行為に対する問題点を解消するための全面にラップフィルムを設けるという煩わしさと製造コストに係る問題点などがあった。
【０００７】
【発明が解決しようとする課題】
本発明は、かかる従来技術の問題点を解決するものであり、その課題とするところは、プラスチック特にプラスチックボトルへのスクラッチ印刷物において、生産効率に優れ、機密情報データやその周辺の隠蔽層が基材との接着性に優れ、輸送中等での耐磨耗性を有し、さらにプラスチックとの一体感があり、かつ貼り替え、改ざん等による偽造や購入前に視認するという不正行為の問題に対応可能なスクラッチ印刷物とその製造方法を提供することにある。
【０００８】
【課題を解決するための手段】
本発明に於いて上記課題を達成するために、まず請求項１の発明では、プラスチックを基材とし、該基材上に紫外線で硬化された紫外線硬化型スクリーンインキでなる機密情報データと該機密情報データおよびその周辺の基材を覆うようにして隠蔽する、紫外線で硬化された紫外線硬化型スクリーンインキでなる隠蔽層が設けられているスクラッチ印刷物であって、前記基材と機密情報データとの付着性がＪＩＳ　Ｋ　５４００の碁盤目法に準拠した評価点が６以上であり、前記機密情報データと隠蔽層との付着性がＪＩＳ　Ｋ　５４００の碁盤目法に準拠した評価点が０であることを特徴とするスクラッチ印刷物としたものである。
【０００９】
上記請求項１の発明によれば、プラスチック基材上に紫外線で硬化された紫外線硬化型スクリーンインキでなる機密情報データおよびその周辺の基材を、紫外線で硬化された紫外線硬化型スクリーンインキでなる隠蔽層で覆うように隠蔽するようにしたことによって、プラスチックでなる基材に対し、機密情報データ及びその周辺の隠蔽層が接着性に優れ、輸送中等での耐磨耗性を有し、さらにプラスチックとの一体感がありかつ貼り替え等による偽造や購入前に剥がして視認するという不正行為問題のないスクラッチ印刷物とし、このスクラッチ印刷物は基材と機密情報データとの付着性がＪＩＳ　Ｋ　５４００の碁盤目法に準拠した評価点が６以上で、機密情報データと隠蔽層との付着性がＪＩＳ　Ｋ　５４００の碁盤目法に準拠した評価点が０であるので、このスクラッチ印刷物をコイン等でスクラッチオフすると、機密情報データは基材上に残り、この機密情報データ上の隠蔽層のみがスクラッチオフされ、機密情報データが視認されるスクラッチ印刷物とすることができる。
【００１０】
また、請求項２の発明では、上記基材がプラスチックボトルであることを特徴とする請求項１記載のスクラッチ印刷物としたものである。
【００１１】
上記請求項２の発明によれば、機密情報データと隠蔽層を施す基材をプラスチックボトルとすることによって、プラスチックボトルとの一体感があり、かつ貼り替えや事前に剥がす等不正行為を防止するもので、飲料等のボトルの購入者に「当たり」「外れ」あるいは点数などが隠蔽されているユニークなおまけ付商品としてのスクラッチ印刷物を提供することができる。
【００１２】
また、請求項３の発明では、プラスチックを基材とし、該基材上に紫外線硬化型スクリーンインキでなる機密情報データを設け、該機密情報データを紫外線照射で硬化せしめ、硬化された機密情報データとその周辺の基材上に該機密情報データを覆うようにして隠蔽する、紫外線硬化型スクリーンインキでなる隠蔽層を設け、該隠蔽層を紫外線照射で硬化せしめることを特徴とするスクラッチ印刷物の製造方法としたものである。
【００１３】
上記請求項３の発明によれば、プラスチック基材上に紫外線硬化型スクリーンインキでなる機密情報データを設け、その上から紫外線照射で硬化せしめ、硬化された機密情報データとその周辺の基材上に該機密情報データを覆うようにして隠蔽する、紫外線硬化型スクリーンインキでなる隠蔽層を設け、この隠蔽層の上から紫外線照射で硬化せしめる製造方法とすることによって、機密情報データと隠蔽層の乾燥（硬化）速度が速く（瞬間的）することができるので生産性に優れ、かつ機密情報データの基材に対する付着性に優れ、その表面が硬く平滑となるので、この上に設ける隠蔽層との付着性が無くなり、よってコイン等でスクラッチオフあるいはセロハンテープ等で剥離すると、機密情報データ上の隠蔽層のみがスクラッチオフあるいは剥離され、基材上に残った機密情報データが視認されるようになるスクラッチ印刷物の製造方法を提供できる。
【００１４】
さらにまた、請求項４の発明では、上記基材がプラスチックボトルであることを特徴とする請求項３記載のスクラッチ印刷物の製造方法としたものである。
【００１５】
上記請求項４の発明によれば、機密情報データと隠蔽層を施す基材をプラスチックボトルとすることによって、プラスチックボトルとの一体感があり、かつ貼り替えや事前に剥がす等不正行為を防止するもので、飲料等のボトルの購入者に「当たり」「外れ」あるいは点数などが隠蔽されているユニークなおまけ付商品としてのスクラッチ印刷物の製造方法を提供することができる。
【００１６】
上記請求項１でいう付着性は、塗料一般試験方法ＪＩＳ　Ｋ　５４００の付着性の中の碁盤目法で評価するもので、試験片上の塗膜を貫通して、指定のカッターナイフで素地面に達する切り傷を碁盤目状に付けたときに生じる塗膜の付着状態を目視によって観察し、その状態を評価点で表すもので、その付着状態と評価点数は、以下の通りである。
１０点：切り傷１本ごとが、細かくて両側から滑らかで、切り傷の交点と正方形の一目一目にはがれがない。
８点：切り傷の交点にわずかなはがれがあって、正方形の一目一目にははがれがなく、欠損部の面積は全正方形面積の５％以内。
６点：切り傷の両側と交点とにはがれがあって、欠損部の面積は全正方形面積の５〜１５％。
４点：切り傷によるはがれの幅が広く、欠損部の面積は全正方形面積の１５〜３５％。
２点：切り傷によるはがれの幅は４点より広く、欠損部の面積は全正方形面積の３５〜６５％。
０点：はがれの面積は、全正方形面積の６５％以上。
【００１７】
【発明の実施の形態】
以下本発明の実施の形態を図面を用いながら詳細に説明する。
【００１８】
本発明は、インスタント抽選付き商品の如く「当たり」「外れ」等機密情報データをスクラッチ隠蔽層で隠蔽してあるスクラッチ印刷物に関するものであり、例えば図１（ａ）の側断面図に示すように、プラスチックを基材（１０）とし、その上に機密情報データ（１２）が施され、この機密情報データ（１２）とその周辺の基材（１０）を覆うように隠蔽する隠蔽層（３０）が施されているスクラッチ印刷物（１）で、本発明では、機密情報データ（１２）は、紫外線硬化型スクリーンインキでなり、その上の隠蔽層（３０）も隠蔽性のある紫外線硬化型スクリーンインキで構成されているスクラッチ印刷物（１）である。
【００１９】
そこで、まず上記請求項１に係る発明は、例えば図１（ａ）に示すように、プラスチックでなる基材（１０）上に、紫外線で硬化された紫外線硬化型スクリーンインキでなる機密情報データ（１２）が施され、この機密情報データ（１２）とその周辺の基材（１０）を覆うようにして隠蔽する隠蔽層（３０）が施され、この隠蔽層（３０）が紫外線で硬化された紫外線硬化型スクリーンインキでなるスクラッチ印刷物（１）としたもので、その特徴とするところは、プラスチックでなる基材（１０）と紫外線で硬化された紫外線硬化型スクリーンインキでなる機密情報データ（１２）との付着性が、塗料の一般試験方法の中のＪＩＳ　Ｋ
５４００の碁盤目法に準拠した評価点が６以上、即ち付着性に優れ、この機密情報データ（１２）と紫外線で硬化された紫外線硬化型スクリーンインキでなる隠蔽層（３０）との付着性が上記ＪＩＳ　Ｋ　５４００の碁盤目法に準拠した評価点が０、即ち付着性に乏しいスクラッチ印刷物（１）とするものである。
【００２０】
上記のような構成のスクラッチ印刷物（１）とすることによって、例えば図１（ｂ）の平面図およびそのＢ−Ｂ面の断面を表す図１（ｃ）の側断面図の右半分に示すように、このスクラッチ印刷物（１）を、コイン等でスクラッチオフするか、セロハンテープ等で剥離すると、隠蔽層（３０）で隠蔽されていた「Ｏ」の字でなる機密情報データ（１２）は基材（１０）との付着性に優れているので、基材（１０）上に残り、この機密情報データ（１２）上の隠蔽層のみがスクラッチオフされ、「Ｏ」の字でなる機密情報データ（１２）が視認されるようになるスクラッチ印刷物（１）とすることができる。この時の「Ｏ」の字でなる機密情報データ（１２）の周辺に施された隠蔽層（３０）もプラスチックでなる基材（１０）との接着性に優れているので、基材（１０）上に残ることになるのが一般的で、このためこの隠蔽層（３０）と機密情報データ（１２）とにある程度のコントラストがあれば問題がなく視認することができる。
【００２１】
また、上記請求項２に係る発明では、例えば図２の斜視図に示すように、基材をプラスチックボトル（２）とするもので、プラスチックボトル（２）の表面に直接紫外線硬化型スクリーンインキが硬化されてなる機密情報データ（１２）と紫外線硬化型スクリーンインキが硬化されてなる隠蔽層（３０）が施されているものとすることによって、プラスチックボトル（２）と機密情報データ（１２）上の隠蔽層（３０）とに一体感があり、かつ貼り替えや事前に剥がす等不正行為を防止するもので、飲料等のボトルの購入者に「当たり」「外れ」あるいは点数などが隠蔽されているおまけ付商品として提供することができる。
【００２２】
また、上記請求項３に係る発明では、例えば図１（ａ）に示すように、プラスチックでなる基材（１０）上に紫外線硬化型スクリーンインキでなる機密情報データ（１２）をスクリーン印刷で設け、この機密情報データ（１２）上から超高圧水銀ランプ等による紫外線照射で硬化せしめ、続いてこの硬化された機密情報データ（１２）とその周辺の基材（１０）上で、この機密情報データ（１２）を覆うようにして隠蔽する、紫外線硬化型スクリーンインキでなる隠蔽層（３０）をスクリーン印刷で設け、この隠蔽層（３０）上から超高圧水銀ランプ等による紫外線照射で硬化せしめてスクラッチ印刷物（１）とする製造方法とするものである。
【００２３】
上記のように、プラスチックでなる基材（１０）上に紫外線硬化型スクリーンインキで印刷して機密情報データ（１２）を設け、その上から超高圧水銀ランプ等による紫外線照射で硬化せしめると、この機密情報データ（１２）は、プラスチックでなる基材（１０）には付着性（接着性）があるが、硬化された機密情報データ（１２）の表面は、硬くかつ平滑な鏡面を有するようになり、その上に設けられる紫外線硬化型スクリーンインキでなる隠蔽層（３０）との付着性が無くなり、またこの紫外線硬化型スクリーンインキでなる隠蔽層（３０）の上から紫外線照射で硬化せしめることによって、上記機密情報データ（１２）とともにこの隠蔽層（３０）の乾燥（硬化）速度が速く（瞬間的）することができるので生産性に優れる製造方法とするもので、このような製造方法とすることによって、このスクラッチ印刷物（１）の表面をコイン等でスクラッチオフあるいはセロハンテープ等で剥離すると、機密情報データ（１２）上の隠蔽層（３０）のみがスクラッチオフあるいは剥離され、図１（ｂ）に示すように、基材（１０）上に残った機密情報データ（１２）が視認されるようになるスクラッチ印刷物（１）の製造方法とするものである。
【００２４】
以下に上記本発明のスクラッチ印刷物およびその製造方法に係る材料等について説明する。
まず、本発明のスクラッチ印刷物を構成する基材、特にプラスチックボトル（２）としては、ポリエチレンテレフタレート（ＰＥＴ）、高密度ポリエチレン（ＨＤＰＥ）、低密度ポリエチレン（ＬＤＰＥ）、ポリプロピレン（ＰＰ）、ポリ塩化ビニル（ＰＶＣ）、ポリカーボネート（ＰＣ）等が挙げられ、内容物等によっ選定されるが、特に限定されるものではない。
【００２５】
また、機密情報データ（１２）を形成する紫外線硬化型スクリーンインキとしては、例えば光重合性素材３０〜６０重量部と改質用樹脂１０〜４０重量部を主体としたビヒクルに、着色顔料５〜３０重量部が分散され、さらに光重合開始剤、熱重合禁止剤、ワックス類等紫外線硬化用添加剤が８〜１６重量部含有されている紫外線硬化型インキを用いて、スクリーン印刷で機密情報データ（１２）を形成するが、この紫外線硬化型スクリーンインキの成分である光重合性素材としては、例えばポリオール、ポリエステル、ウレタンまたはエポキシとアクリル酸エステルが反応してできたモノマーもしくはオリゴマー等公知のものが挙げられ、また、改質用樹脂としては、例えばケトン樹脂、石油樹脂、アルキッド樹脂、マレイン酸変性ロジン、スチレンマレイン酸樹脂等が挙げられ、これら光重合性素材と改質用樹脂とで紫外線硬化型スクリーンインキのビヒクルとする。
【００２６】
また、上記光重合開始剤としては、例えばベンゾフェノン系、ベンゾイン系、アセトフェノン系、チオキサントン系等の剤が挙げられ、また、熱重合禁止剤としては、例えばハイドロキノン、ｐ−ベンゾキノン、ｔ−ブチルハイドロキノン等が挙げられ、これらに、ポリエチレンワックス等ワックス類を添加して紫外線硬化型用添加剤とする。
【００２７】
また、隠蔽層（３０）を形成する紫外線硬化型スクリーンインキとしては、例えば上記機密情報データ（１２）を形成するインキと同様に光重合性素材３０〜６０重量部と改質用樹脂１０〜４０重量部を主体としたビヒクルに、隠蔽性を有する顔料類例えば酸化チタン等白色顔料、アルミニウム粉末、黒色顔料等５〜３０重量部が分散され、さらに光重合開始剤、熱重合禁止剤、ワックス類等紫外線硬化用添加剤が８〜１６重量部含有されている紫外線硬化型インキを用いて、スクリーン印刷で厚さ５〜１０μｍ（ドライ）の厚い隠蔽層（３０）を形成するもので、この紫外線硬化型スクリーンインキの成分である光重合性素材や改質用樹脂、さらには光重合開始剤、熱重合禁止剤、ワックス類等紫外線硬化用添加剤等は上記機密情報データ（１２）を形成するインキの場合と同様である。
【００２８】
【実施例】
次に実施例により、本発明を具体的に説明する。
〈実施例１〉
高密度ポリエチレン（ＨＤＰＥ）：６００８Ｂ（三井化学社製）製の容量８００ｍｌの偏平ボトルの胴部表面に４２０メッシュのスクリーン：ナイロンスクリーン１６５Ｔ（ＮＢＣ工業社製）を用いたスクリーン版で、紫外線硬化型スクリーンインキ：ＦＤＳＳ２１０　３９１Ｓ藍（東洋インキ製造社製）により図１（ｂ）に示すような「Ｔ」「Ｏ」の文字でなる機密情報データを厚さ１２μｍ（ウエット）になるように印刷した。この機密情報データを即座に１６０Ｗ／ｃｍのメタルハライドランプによる紫外線照射で硬化させ、「Ｔ」「Ｏ」の文字でなる機密情報データを得た。
【００２９】
次いでこの硬化された「Ｔ」「Ｏ」の文字とその周辺の胴部表面を覆うように３５５メッシュのスクリーン：ナイロンスクリーン１４０Ｔ（ＮＢＣ工業社製）を用いたスクリーン版で、紫外線硬化型スクリーンインキ：ＦＤＳＳ２１０　コンク６６２Ｓ白（東洋インキ製造社製）により隠蔽層を厚さ１７μｍ（ウエット）になるように印刷し、その後全面を即座に上記と同様な仕様と条件の紫外線照射で硬化させてスクラッチ印刷物とした。
【００３０】
上記実施例１で得られた図１（ｂ）および（ｃ）に示すスクラッチ印刷物の右側半分をコインでスクラッチオフすると、その右半分に示すように、「Ｏ」の字の上の隠蔽層のみがスクラッチオフされ、「Ｏ」の字が視認された。また、セロハンテープによる剥離でも同様に「Ｏ」の字の上の隠蔽層のみが剥離され、「Ｏ」の字が視認された。
なお、上記「Ｔ」「Ｏ」の文字の場合では細すぎて、ＪＩＳ　Ｋ　５４００の碁盤目法に準拠した付着性の評価は困難なので、この「Ｔ」「Ｏ」の文字に代わる測定可能な面積の機密情報データとその上に隠蔽層を施したテストピースを作成し、このテストピースについて付着性の評価を行ったところ、基材（ＨＤＰＥ）と機密情報データとの付着性は、評価点が８で、この機密情報データと隠蔽層との付着性は、評価点が０であった。
【００３１】
〈比較例１〉
上記「Ｔ」「Ｏ」の字の印刷後の紫外線照射を行わず、上記隠蔽層の印刷後の紫外線照射で「Ｔ」「Ｏ」の字の硬化も兼ねた以外は、上記実施例１と同様にしてスクラッチ印刷物を得た。
【００３２】
上記比較例１で得られたスクラッチ印刷物をコインでスクラッチしても、隠蔽層はスクラッチオフされず、またセロハンテープで剥離しても隠蔽層は剥離されず、よって「Ｔ」「Ｏ」の字でなる機密情報データが全く視認されなかった。
また上記実施例１と同様にテストピースを作成して付着性の評価を行ったところ、基材（ＨＤＰＥ
）と機密情報データとの付着性は、評価点が８であったが、この機密情報データと隠蔽層との付着性は、評価点が４であった。
【００３３】
【発明の効果】
本発明は以上の構成であるから、下記に示す如き効果がある。
即ち、上記請求項１に係る発明において、プラスチック基材上に紫外線で硬化された紫外線硬化型スクリーンインキでなる機密情報データおよびその周辺の基材を、紫外線で硬化された紫外線硬化型スクリーンインキでなる隠蔽層で覆うように隠蔽するようにしたことによって、プラスチックでなる基材に対し、機密情報データ及びその周辺の隠蔽層が接着性に優れ、輸送中等での耐磨耗性を有し、さらにプラスチックとの一体感がありかつ貼り替え等による偽造や購入前に剥がして視認するという不正行為問題のないスクラッチ印刷物とし、このスクラッチ印刷物は、基材と機密情報データとの付着性がＪＩＳ　Ｋ　５４００の碁盤目法に準拠した評価点が６以上で、機密情報データと隠蔽層との付着性がＪＩＳ　Ｋ５４００の碁盤目法に準拠した評価点が０であるので、このスクラッチ印刷物をコイン等でスクラッチすると、機密情報データは基材上に残り、この機密情報データ上の隠蔽層のみがスクラッチオフされ、機密情報データが視認されるスクラッチ印刷物とすることができる。
【００３４】
また、上記請求項２に係る発明においては、機密情報データと隠蔽層を施す基材をプラスチックボトルとすることによって、プラスチックボトルとの一体感があり、かつ貼り替えや事前に剥がす等不正行為を防止するもので、飲料等のボトルの購入者に「当たり」「外れ」あるいは点数などが隠蔽されているおまけ付商品としてのスクラッチ印刷物を提供することができる。
【００３５】
また、上記請求項３に係る発明においては、プラスチック基材上に紫外線硬化型スクリーンインキでなる機密情報データを設け、その上から紫外線照射で硬化せしめ、硬化された機密情報データとその周辺の基材上に該機密情報データを覆うようにして隠蔽する、紫外線硬化型スクリーンインキでなる隠蔽層を設け、この隠蔽層の上から紫外線照射で硬化せしめる製造方法とすることによって、機密情報データと隠蔽層の乾燥（硬化）速度が速く（瞬間的）することができるので生産性に優れ、かつ機密情報データの基材に対する付着性に優れ、その表面が硬く平滑となるので、この上に設ける隠蔽層との付着性が無くなり、よってコイン等でスクラッチオフあるいはセロハンテープ等で剥離すると、機密情報データ上の隠蔽層のみがスクラッチオフあるいは剥離され、基材上に残った機密情報データが視認されるようになるスクラッチ印刷物の製造方法を提供できる。
【００３６】
さらにまた、上記請求項４に係る発明においては、機密情報データと隠蔽層を施す基材をプラスチックボトルとすることによって、プラスチックボトルとの一体感があり、かつ貼り替えや事前に剥がす等不正行為を防止するもので、飲料等のボトルの購入者に「当たり」「外れ」あるいは点数などが隠蔽されているおまけ付商品としてのスクラッチ印刷物の製造方法を提供することができる。
【００３７】
従って本発明は、インスタント抽選付き商品の如く「当たり」「外れ」等機密情報データをスクラッチ隠蔽層で隠蔽してあるスクラッチ印刷物、特に飲料等を収納するプラスチックボトルを基材としたスクラッチ印刷物およびその製造方法として、優れた実用上の効果を発揮する。
【図面の簡単な説明】
【図１】本発明のスクラッチ印刷物の一実施の形態を示すもので、
（ａ）は、その側断面図であり、
（ｂ）は、このスクラッチ印刷物の右側半分をスクラッチオフした平面図で、
（ｃ）は、（ｂ）のＢ−Ｂ面を表す断面図である。
【図２】本発明のスクラッチ印刷物の一事例を示す斜視図である。
【図３】従来のスクラッチ印刷物の一事例を側断面で表した説明図である。
【符号の説明】
１‥‥スクラッチ印刷物
２‥‥プラスチックボトル
１０‥‥基材
１２‥‥機密情報データ
１４‥‥易剥離層
２０‥‥スクラッチ隠蔽層
３０‥‥隠蔽層
【図１】
2004135841.tif 000003
【図２】
2004135841.tif 000004
【図３】
2004135841.tif 000005